(57)【要約】【課題】廃棄される離型シートが１枚のみであって、しかも、離型シートの剥離作業を行い易い粘着シートを提供する。【解決手段】粘着面１０ａを１枚の離型シート２０で覆ってなる粘着シート。離型シート２０は、粘着面に接する内表面とは反対側の外表面において、その側辺に沿って、別のシート材（剛性付与シート材）３０が積層されて当該積層部分の剛性が高められている。剛性の高められた積層領域は他の部分よりも摘み上げ易いので、この部分から離型シート２０簡単に捲り取ることができる。積層領域には着色を施すことが好ましい。着色が目印となって、この部分をさらに簡単に摘み上げることができる。【選択図】図２
2007215828.tif 000002
【特許請求の範囲】
【請求項１】
粘着面（１０ａ）を１枚の離型シート（２０）で覆ってなる粘着シートであって、
離型シート（２０）は、粘着面に接する内表面とは反対側の外表面において、その側辺に沿って、別のシート材（３０）が積層されて当該積層部分の剛性が高められていることを特徴とする、粘着シート。
【請求項２】
直角に交差する第１辺（１１）および第２辺（１２）を含む矩形形状をなす、請求項１記載の粘着シートであって、
上記離型シート（２０）も、粘着シートの第１辺（１１）および第２辺（１２）に重なる第１辺（２１）および第２辺（２２）を含む矩形形状をなしており、
上記別のシート材（３０）は、離型シート（２０）の第１辺（２１）に沿って積層されていることを特徴とする、粘着シート。
【請求項３】
上記離型シート（２０）と別のシート材（３０）との積層部分に着色が施されていることを特徴とする、請求項１または２記載の粘着シート。
【請求項４】
上記別のシート材（３０）が透明であって、上記着色は、当該別のシート材（３０）の下方側に位置する離型シート（２０）上に施されていることを特徴とする、請求項３記載の粘着シート。
【発明の詳細な説明】
【技術分野】
【０００１】
本発明は、粘着面に離型シートを備えてなる、救急絆創膏や外用貼付剤等の粘着シートに関する。
【背景技術】
【０００２】
上記粘着シートは、使用時に離型シートを引き剥がして粘着面を露出させ、これを患部に貼り付ける。その際、粘着面が単に１枚の離型シートで覆われていると捲り難いので、粘着面の中央でオーバーラップする２枚の離型シートを設けて、離型シートを捲り易く構成したものが知られている（特許文献１）。
【０００３】
ところで、離型シートは粘着面から引き剥がされた後で廃棄されるものであるが、２枚の離型シートを備える粘着シートの場合、引き剥がした後では、別々に分離した２枚の離型シートが存在することとなるので、これを廃棄するのが面倒であったり、手間取ったりするといった問題がある。
【０００４】
【特許文献１】特開２００２−６５７２６号公報
【発明の開示】
【発明が解決しようとする課題】
【０００５】
上記従来の事情に鑑み、本発明の目的は、廃棄される離型シートが１枚のみであって、しかも、離型シートの剥離作業を行い易い粘着シートを提供することである。
【課題を解決するための手段】
【０００６】
本発明は、上記要望に応えるべく創案されたものであって、以下の特徴を備えた粘着シートを提供するものである。
すなわち、本発明の粘着シートは、粘着面を１枚の離型シートで覆ってなる。離型シートは、粘着面に接する内表面とは反対側の外表面において、その側辺に沿って、別のシート材（剛性付与シート材）が積層されて当該積層部分の剛性が高められている。
【発明の効果】
【０００７】
本発明の粘着シートにおいては、粘着面を覆う離型シートが１枚のみであるため、当該離型シートを捲り取った後における廃棄作業が簡単となる。
一方、離型シートは、粘着面に接する内表面とは反対側の外表面において、その側辺に沿って、別のシート材が積層されて当該積層部分の剛性が高められている。つまり、剛性の高められた部分は、そうでない部分に比べて摘み上げ易く、しかもそのように剛性の高められた領域が離型シートの側辺に沿って存在しているので、使用者は、この部分を摘んで、簡単に離型シートを捲り取ることができる。
【０００８】
なお、積層により剛性を高めた部分には、着色を施すことが好ましい。着色が目印となって、より簡単にこの部分を摘んで、離型シートを捲り取ることができる。
【発明を実施するための最良の形態】
【０００９】
本発明の実施形態を、添付の図面を参照して、以下に詳細に説明する。図１は、本発明の一実施形態に係る粘着シート１０を真上から見た平面図である。図２は、積層部分を摘んで、離型シート２０を捲り取っている状態を示す斜視図である。
【００１０】
粘着シート１０は、その片面が薬剤等を含有する粘着面１０ａとされている。本発明においては、この粘着面１０ａを１枚のフィルム状の離型シート２０で覆っている。離型シート２０が１枚のみであるから、これを捲り取った後での廃棄が簡単かつ便利なものとなる。
【００１１】
粘着シート１０は、直交する第１辺１１および第２辺１２を含む矩形形状をなしている。また、離型シート２０は、粘着シート１０とほぼ同一の外形を有していて、直交する第１辺２１および第２辺２２を含む矩形形状である。したがって、図１においては、粘着シート１０の第１辺１１、第２辺１２は、それぞれ、離型シート２０の第１辺２１、第２辺２２と重なって現れる。
【００１２】
≪離型シートの剛性を高めるための剛性付与シート材≫
図３は、図１に示した粘着シート１０の側面図であり、図４は、その積層構成を示す分解斜視図である。
図３および図４に示したように、離型シート２０には、粘着面１０ａに接する内表面とは反対側の外表面上に別のシート材３０が積層されている。このシート材３０は離型シート２０の剛性を部分的に高めるために積層されるものであり、したがって、以下このシート材を剛性付与シート材３０と呼ぶ。
【００１３】
剛性付与シート材３０が積層された離型シート２０上の領域は、それ以外の部分よりも剛性が高くなる。しかも、そのように剛性の高められた領域が離型シート２０の側辺に沿って存在しているので、この部分を簡単に摘み上げることができる。したがって、離型シート２０は、この部分から簡単に引き剥がすことができる。
【００１４】
なお、粘着シートおよび薬剤等は一般的に知られたものであり、離型シート２０についても、それ自体は、ポリプロピレン等の材料から製造される一般的なものである。
また、剛性付与シート材３０については、これを積層することによって離型シート２０の剛性を高めることのできる材料であれば足り、特定のものには限定されない。離型シート２０と同じ材料を用いることも勿論可能である。
【００１５】
≪粘着シートの形状≫
図示した粘着シート１０は、直交する２辺１１、１２を含む矩形形状としているが、本発明においては、粘着シート１０の形状は、矩形以外にも、円形、楕円形、多角形、その他任意のものを採用できる。ただ、矩形形状の粘着シート１０は、製造ラインにおいて大量生産するのに適した形状である。
粘着シートおよび離型シートが矩形以外の形状をなしている場合においても、離型シート上の側辺に沿って剛性付与シート材を積層して剛性が高めれば、図示した実施形態と同様に、その部分を摘んで簡単に離型シートを捲り取ることができる。
【００１６】
≪着色≫
なお、剛性付与シート材３０を積層した部分には、例えばピンク色等の適当な着色を施すことが好ましい。着色が目印となって、使用者は、さらに簡単にその部分を摘み上げることができる。
【００１７】
積層領域に着色を施す場合、剛性付与シート材３０に着色を施すことも勿論可能であるが、剛性付与シート材３０を透明として、その下方側に位置する離型シート２０上に着色することが好ましい。その理由は、次の通りである。
離型シート２０には、通常何らかの印刷（使用方法や薬効成分等）が施されるので、積層領域における着色も含めて、すべての印刷を離型シート２０上に集中させることができる。すなわち、離型シート２０およびシート材３０の両方に印刷を施す必要がなくなり、離型シート２０のみに印刷を行うだけで足りるので、製造工程が簡略化できる。
【図面の簡単な説明】
【００１８】
【図１】本発明の一実施形態に係る粘着シートを真上から示す平面図。
【図２】図１の粘着シートの使用方法を説明する斜視図。
【図３】図１の粘着シートの側面図。
【図４】図１の粘着シートの積層構成を示す分解斜視図。
【符号の説明】
【００１９】
１０  粘着シート
１０ａ  粘着面
１１  粘着シートの第１辺
１２  粘着シートの第２辺
２０  離型シート
２１  離型シートの第１辺
２２  離型シートの第２辺
３０  別のシート材（剛性付与シート材）
【図１】
2007215828.tif 000003
【図２】
2007215828.tif 000004
【図３】
2007215828.tif 000005
【図４】
2007215828.tif 000006